(57)【要約】  【課題】  被空調室の中央部や壁面に沿わせて設置した本体の周囲に調和空気を吹き出せるようにし、本体の下部側面の吸込口から吸い込まれ上部側面の吹出口から吹き出される空気流の送風性能を向上できるようにした床面設置型の空気調和機を提供する。  【解決手段】  本体１の下部側面に吸込口２を設け、上部側面に吹出口３を設け、これら吸込口２と吹出口３とを結ぶ空気通路にフィルタ４と、熱交換器５と、ファンモータ６に連係された遠心ファン８とを設けてなり、前記遠心ファン８が、前記ファンモータ６の下部に連係され、前記吹出口３に臨ませるように設けられるようにした。【選択図】  図１
2005024225.tif 000002
【特許請求の範囲】
【請求項１】
本体の下部側面に吸込口を設け、上部側面に吹出口を設け、これら吸込口と吹出口とを結ぶ空気通路にフィルタと、熱交換器と、ファンモータに連係された遠心ファンとを設けてなり、
前記遠心ファンが、前記ファンモータの下部に連係され、前記吹出口に臨ませるように設けられてなることを特徴とする空気調和機。
【請求項２】
前記吹出口が、本体の側面全周に設けられる一方、同吹出口に、上下方向の風向を偏向させると共に、同吹出口を開閉する上下風向偏向板が回動自在に設けられてなることを特徴とする請求項１に記載の空気調和機。
【請求項３】
前記熱交換器が、前記吸込口の上部であって前記吹出口の下部に設けられると共に、前記フィルタが、前記吸込口と前記熱交換器との間に水平状に、且つ着脱可能に設けられてなることを特徴とする請求項１に記載の空気調和機。
【発明の詳細な説明】
【技術分野】
【０００１】
本発明は、床面設置型の空気調和機に係わり、より詳細には、被空気調和室の中央部や壁面に沿わせて設置した本体の周囲に調和空気を吹き出せるようにし、本体の下部側面の吸込口から吸い込まれ上部側面の吹出口から吹き出される空気流の送風性能を向上できるようにした構造に関する。
【背景技術】
【０００２】
従来の床面設置型の空気調和機には、空気調和機本体下部の側面全周に設けた吸込グリルと、吸込グリルの内側全周に設けた熱交換器と、熱交換器の上方向に設けた送風機用電動機と、送風機と、空気調和機本体上部の側面全周に設けた吹出口と、吹出口の上部にあり空気の流れに対し垂直に設けられた天板と、天板の中央に設けたシャフトと、天板と吹出口の間を一部封止する封止板と、封止板をスライドさす溝とから構成したものであり、空気調和機の側面全方向の空気調和ができ、空気調和が不要な方向には封止板を溝に沿ってスライドさせ非空調部を自由にえらぶことができるという効果を得られるものがあった（例えば、特許文献１参照。）。
【０００３】
しかしながら、特開２００１−１５３３８８号公報に添付された図１乃至図３で示すように、送風機が軸流ファンからなる構成になっており、吸込グリルから吸い込まれ吹出口から吹き出された空気が天板にあたった（衝突した）のち、本体上部の側面全周に吹き出されるようになっていることから、空気が天板にあたることによって送風性能が大幅に低下してしまったり、また、騒音が発生する原因になってしまうおそれがあった。
【０００４】
また、空気調和機本体は上下面が閉塞され、円筒状に形成された構成であることから、例えば被空気調和室の壁面に沿わせて設置したり、コーナ部に設置する場合には必ずしもすわりよく設置できるとはいえず、この場合、例えば空気調和機本体を上面視で四角形状に形成したほうが被空気調和室の壁面に沿わせて設置するのには好適であった。
【０００５】
【特許文献１】特開２００１−１５３３８８号公報（第１頁〜第４頁、第１図〜第３図）
【発明の開示】
【発明が解決しようとする課題】
【０００６】
本発明は以上述べた問題点を解決し、上記の問題点に鑑み、被空気調和室の中央部や壁面に沿わせて設置した空気調和機本体の周囲に調和空気を吹き出せるようにし、本体の下部側面の吸込口から吸い込まれ上部側面の吹出口から吹き出される空気流の送風性能を向上できるようにした床面設置型の空気調和機を提供することを目的とする。
【課題を解決するための手段】
【０００７】
本発明は、上記課題を解決するため、本体の下部側面に吸込口を設け、上部側面に吹出口を設け、これら吸込口と吹出口とを結ぶ空気通路にフィルタと、熱交換器と、ファンモータに連係された遠心ファンとを設けてなり、
前記遠心ファンが、前記ファンモータの下部に連係され、前記吹出口に臨ませるように設けられてなる構成となっている。
【０００８】
また、前記吹出口が、本体の側面全周に設けられる一方、同吹出口に、上下方向の風向を偏向させると共に、同吹出口を開閉する上下風向偏向板が回動自在に設けられてなる構成となっている。
【０００９】
更に、前記熱交換器が、前記吸込口の上部であって前記吹出口の下部に設けられると共に、前記フィルタが、前記吸込口と前記熱交換器との間に水平状に、且つ着脱可能に設けられてなる構成となっている。
【発明の効果】
【００１０】
本発明によれば、本体の下部側面に吸込口を設け、上部側面に吹出口を設け、これら吸込口と吹出口とを結ぶ空気通路にフィルタと、熱交換器と、ファンモータに連係された遠心ファンとを設け、前記遠心ファンが、前記ファンモータの下部に連係され、前記吹出口に臨ませるように設けられてなる構成にしたので、吸込口および吹出口の方向が限定されず所定方向の空気調和ができると共に、空気調和が不要な方向には非空調部を設定できるようになり、また、空気が天板にあたった（衝突した）のち本体上部の側面全周に吹き出されるということがなくなって、送風性能が大幅に低下してしまうおそれがなくなり、また、騒音が発生する原因になってしまうおそれがないようにした床面設置型の空気調和機となる。
【発明を実施するための最良の形態】
【００１１】
以下、本発明の実施の形態を、添付図面に基づいた実施例として詳細に説明する。
図１は本発明による空気調和機の説明図で、（Ａ）は縦断面図、（Ｂ）は横断面図、（Ｃ）は熱交換器の第二例を示す図、（Ｄ）は熱交換器の第三例を示す図であり、図２は本発明による空気調和機の説明図で、（Ａ）は斜視図、（Ｂ）は冷気の吹出方向を示す要部斜視図、（Ｃ）は暖気の吹出方向を示す要部斜視図、（Ｄ）は（Ａ）で示すＢ部の拡大図であり、図３は空気調和機本体が床面上に設置される実施例を示す説明図で、（Ａ）は実施例１として被空気調和室の中央に設置された状態を示す平面図、（Ｂ）は実施例２として被空気調和室のコーナ部に設置された状態を示す平面図、（Ｃ）は実施例３として被空気調和室の壁面に沿って設置された状態を示す平面図である。
【００１２】
本発明による床面設置型の空気調和機は、図１（Ａ）および図１（Ｂ）で示すように、空気調和機本体１が上下面を閉塞した四角筒状に形成されると共に、下部側面には吸込口２が設けられ、上部側面には吹出口３が設けられた構成になっている。
【００１３】
前記吸込口２と前記吹出口３とを結ぶ空気通路には、着脱可能なフィルタ４と、熱交換器５と、ファンモータ６に連係された遠心ファン８とが夫々設けられている。
【００１４】
前記ファンモータ６は、図１（Ａ）で示すように、その駆動軸6aを垂直にして取付部材７により前記本体１内の上部に設けられ、前記遠心ファン８が、前記駆動軸6aの下端部に連係されると共に前記吹出口３に臨ませるように設けられてなる構成となっている。
【００１５】
これによって、前記吸込口２から吸い込まれた吸込空気は、この空気中に含まれた塵埃が前記フィルタ４によって除去されたのち、前記熱交換器５によって熱交換され、前記ファンモータ６で駆動された前記遠心ファン８によって前記吹出口３に送出されるようになっている。
【００１６】
その際、前記遠心ファン８が、前記ファンモータ６の下部に連係され、且つ前記吹出口３に臨ませるように設けられているので、前記吸込口２から吸い込まれ前記熱交換器５で熱交換された空気が、前記遠心ファン８によって前記吹出口３に効率よく導かれるようになる。
【００１７】
すなわち、上記従来技術で説明したように、「空気が天板にあたった（衝突した）のち」本体上部の側面全周に吹き出されるということがなくなって、送風性能が大幅に低下してしまうおそれがなくなり、また、騒音が発生する原因になってしまうおそれがなくなる。
【００１８】
また、前記吸込口２は、図２（Ａ）および図２（Ｄ）で示すように、先端を下方に傾斜させた複数の横桟2aからなる構成になっており、これによって、前記吸込口２から前記本体１の内部が見えてしまわないよう上方からのユーザの視線を効果的に遮ることができるようになり、意匠性を損なうことがないようにした構成になる。
【００１９】
そして、前記複数の横桟2aの先端を下方に傾斜させたことで、図１（Ａ）の矢印ａで示すように、被空気調和室Ａの床面付近の室内空気が上方に向けて吸い込まれ、前記フィルタ４および前記熱交換器５を通過したのち、図１（Ａ）の矢印ｂで示すように、前記吹出口３から被空気調和室Ａに吹き出されるようになっており、前記吹出口３から吹き出される吹出空気は、その一部が前記吸込口２に直接に吸い込まれてしまうといった、所謂ショートサーキット現象が生じてしまわないよう防止できるようになっている。
【００２０】
前記吹出口３は、前記本体１の下部側面全周に設けられる一方、同吹出口３には、上下方向の風向を偏向させると共に、同吹出口３を開閉する上下風向偏向板９が回動自在に設けられた構成になっている。
【００２１】
前記吹出口３から吹き出される空気は、前記遠心ファン８によって天板にあたる（衝突する）ことなく所定の流速を維持した状態で導かれているので、該箇所に設けられた前記上下風向偏向板９によって風向を効果的に偏向できることになる。
【００２２】
例えば冷房運転時には、図２（Ｂ）で示すように、前記上下風向偏向板９を上方もしくは水平方向に回動することにより、前記吹出口３から吹き出される吹出冷気流を、被空気調和室Ａの隅々にまで行き渡らせることができるようになって快適な空気調和を行なえるようになる。
【００２３】
前記本体１の下部側面全周の前記吹出口３には、前記上下風向偏向板９が夫々設けられることにより、図２（Ｂ）および図２（Ｃ）で示すように、上下方向の風向を偏向させることができると共に、同吹出口３の一部を開閉できるようになっている。
【００２４】
暖房運転時には、図２（Ｃ）で示すように、前記上下風向偏向板９を下方に回動することにより、前記吹出口３から吹出される吹出暖気流を、被空気調和室Ａの床面に向けて効果的に吹出させることができるようになって、所謂足もと暖房を効果的に実現できるようになる。
【００２５】
または、図３（Ａ）乃至図３（Ｃ）で示すように、被空気調和室Ａの広さや平面形状などに対応して前記本体１を任意の箇所にすわりよく設置し、前記吹出口３から吹き出す吹出空気の方向を、矢印ｂで示すように任意に設定して効果的な空気調和を行なえるようになっている。
【実施例１】
【００２６】
例えば、実施例１として図３（Ａ）で示すように、前記本体１を被空気調和室Ａの中央の床面上に設置した場合、前記吹出口３から吹き出す吹出空気を、矢印ｂで示すように四方向に向けて吹き出せるようになる。
【実施例２】
【００２７】
また、実施例２として図３（Ｂ）で示すように、前記本体１を被空気調和室Ａのコーナ部の床面上に設置した場合、前記吹出口３から吹き出す吹出空気を、矢印ｂで示すように二方向に向けて吹き出せるようになる。
その際、被空気調和室Ａの壁面に対面した前記吹出口３は、前記上下風向偏向板９によって閉塞しておけばよい。
【実施例３】
【００２８】
また、実施例３として図３（Ｃ）で示すように、前記本体１を被空気調和室Ａの一壁面に沿わせるようにして床面上に設置した場合、前記吹出口３から吹き出す吹出空気を、矢印ｂで示すように三方向に向けて吹き出せるようになる。
その際、被空気調和室Ａの壁面に対面した前記吹出口３は、上記二例の場合と同様に前記上下風向偏向板９によって閉塞しておけばよい。
【００２９】
次に、前記熱交換器５が、図１（Ａ）で示すように、前記吸込口２の上部であって前記吹出口３の下部に設けられると共に、前記フィルタ４が、前記吸込口２と前記熱交換器５との間に水平状に、且つ着脱可能に設けられた構成について説明する。
【００３０】
すなわち、前記吸込口２の上部に、前記フィルタ４と前記熱交換器５とを設け、同熱交換器５の上部に、前記吹出口３に臨ませた前記遠心ファン８を設けた構成になっており、これによって前記本体１を縦長状に形成された床置型の空気調和機として構成できるようになり、上記に説明したとおり、被空気調和室Ａの広さや平面形状などに対応して任意の箇所に設置し、前記吹出口３から吹き出す吹出空気の方向を任意に設定して効果的な空気調和を行なえるようになる。
【００３１】
前記フィルタ４は、前記吸込口２と前記熱交換器５との間に水平状に、且つ着脱可能に設けられた構成になっているので、図１（Ｂ）で示す前記本体１内に収まるよう平面状に形成されたシンプルな構成で取り扱いやすくなっており、メンテナンス時には、例えば前記吸込口２を構成して該箇所に開閉（回動）可能に、且つ着脱可能に装着された吸込グリルを開閉することによって着脱できるようになっている。
【００３２】
その際、前記吸込グリルは、前記本体１の四面に形成された前記吸込口２のうち、少なくとも一面の吸込口２が開閉されるようにし、この吸込口２を開閉することによって前記フィルタ４を挿脱できるようにしておけばよい。
【００３３】
また、前記熱交換器５は、第一例として図１（Ａ）で示すように、前記吸込口２と前記吹出口３とを結ぶ空気通路に傾斜させて設置することにより、例えば水平状に設置した場合よりも大型化したものを設置できるようになると共に、前記本体１を縦長状に形成された床置型の空気調和機として構成する上で好適である。
【００３４】
または、第二例として図１（Ｃ）で示すように、前記熱交換器５を断面逆Ｖ字状に形成した場合には、同熱交換器５の容量を増加させて熱交換能力を向上させることができるようになり、第三例として図１（Ｄ）で示すように、前記熱交換器５を断面Ｍ字状に形成した場合には、同熱交換器５の容量を更に増加させることができるようになり、また、同熱交換器５が前記本体１内に設置された時の上下寸法を抑えて、前記本体１の高さ寸法を小さくすることができるようになる。
【００３５】
以上説明したように、本発明による空気調和機によれば、前記吸込口２から吸い込まれ前記熱交換器５により熱交換された空気は、上記に説明した従来技術のような軸流ファンにより天板にあたってから被空気調和室Ａに流れ出るのではなく、前記遠心ファン８によって効率よく前記吹出口３に送出され、被空気調和室Ａに吹き出されるようになるので、上記従来技術に対し、騒音を抑えて送風性能を大幅に向上できるようになり、前記本体１を被空気調和室Ａのコーナ部や一壁面に沿わせた状態で床面上にすわりよく設置できるようになる。
【図面の簡単な説明】
【００３６】
【図１】本発明による空気調和機の説明図で、（Ａ）は縦断面図であり、（Ｂ）は横断面図であり、（Ｃ）は熱交換器の第二例を示す図であり、（Ｄ）は熱交換器の第三例を示す図である。
【図２】本発明による空気調和機の説明図で、（Ａ）は斜視図であり、（Ｂ）は冷気の吹出方向を示す要部斜視図であり、（Ｃ）は暖気の吹出方向を示す要部斜視図であり、（Ｄ）は（Ａ）で示すＢ部の拡大図である。
【図３】空気調和機本体が床面上に設置される実施例を示す説明図で、（Ａ）は実施例１として被空気調和室の中央に設置された状態を示す平面図であり、（Ｂ）は実施例２として被空気調和室のコーナ部に設置された状態を示す平面図であり、（Ｃ）は実施例３として被空気調和室の壁面に沿って設置された状態を示す平面図である。
【符号の説明】
【００３７】
１  空気調和機本体
２  吸込口
2a  横桟
３  吹出口
４  フィルタ
５  熱交換器  
６  ファンモータ
6a  駆動軸
７  取付部材
８  遠心ファン
９  上下風向偏向板
Ａ  被空気調和室
【図１】
2005024225.tif 000003
【図２】
2005024225.tif 000004
【図３】
2005024225.tif 000005